(57)【要約】【課題】本発明は食品パッケージを開示した。【解決手段】パッケージと前記パッケージの下側に設けられたＬ型板とを含み、前記パッケージの中には上方に開口した食品入れチャンバが設けられ、前記食品入れチャンバの開口のところには蓋がねじ山によって取り付けられる。本発明は構造が簡単で、使用が簡単で便利であり、バラ売りの米や小麦粉などの食品を本発明の中に置き、包装袋が破損することによって漏れることを避け、米や小麦粉を取って使う時に、本装置は自動的に定量の米や小麦粉を出し、手動で取る時に取る量が多すぎるまたは少なすぎることを避け、これにより浪費と不足の状況を避ける。【選択図】図１
2020177002.tif 000002
【特許請求の範囲】
【請求項１】
パッケージと前記パッケージの下側に設けられたＬ型板とを含み、前記パッケージの中には上方に開口した食品入れチャンバが設けられ、前記食品入れチャンバの開口のところには蓋がねじ山によって取り付けられ、前記蓋を取った後に米や小麦粉などの食品を前記食品入れチャンバの中に入れることができ、前記パッケージの中には前記食品入れチャンバと連通している作動チャンバが設けられ、前記作動チャンバの内壁には定位ブロックが上下に対称的に設けられ、前記定位ブロックの中には抜き穴が設けられ、前記定位ブロックの相対する端面には位置制限ブロックが固定的に設けられ、上側の前記定位ブロックの中には貫通穴が設けられ、前記貫通穴の中には復帰ブロックがスライドできるように設けられ、前記復帰ブロックと前記貫通穴の内壁との間が連結バネにより連結され、前記復帰ブロックには一端が前記抜き穴の中まで伸びており、もう一端が上側の前記位置制限ブロックを貫通している定位押しロッドが固定的に連結され、前記作動チャンバの中には固定ブロックが設けられ、前記固定ブロックには駆動装置が連結され、前記固定ブロックには食品取り箱が固定的に設けられ、前記食品取り箱を二つやいくつ設置することができ、前記食品取り箱の中には片側が開口した食品取りチャンバが設けられ、前記食品取り箱の開口側の端面にはガイド溝が前後に対称的に設けられ、前記ガイド溝の中にはガイドブロックがスライドできるように設けられ、前記ガイドブロックの両側端面と前記ガイド溝の内壁のと間には戻しバネが連結され、前記ガイドブロックの上端には閉鎖板が固定的に設けられ、前記閉鎖板が前記食品取りチャンバを閉鎖し、前記駆動装置が前記固定ブロックを前記定位ブロックの方向に移動駆動する時、前記閉鎖板が前記定位ブロックのサイド端面と当接し、前記食品取りチャンバを上側の前記抜き穴によって前記食品入れチャンバと連通させ、前記食品入れチャンバの中の米や小麦粉などの食品が前記食品取りチャンバの中に入り、前記固定ブロックの中にはスプライン穴が設けられ、前記スプライン穴の中にはスプライン軸がスプラインにより結合され、前記スプライン軸には回転装置が連結され、前記食品取りチャンバの中の食品が指定の量に達した時、前記回転装置が前記スプライン軸を連動させ、前記食品取り箱が前記スプライン軸の連動により回転し、且つ前記食品取りチャンバと下側の前記抜き穴とを連通させ、前記食品取りチャンバの中の食品を出し、量を確定する作用を果たすことを特徴とする食品パッケージ。
【請求項２】
前記駆動装置は前記パッケージの右端面に設けられた操作パネルを含み、前記パッケージの中には動力チャンバが設けられ、前記動力チャンバの中には前記操作パネルと電気的に接続されたモーターが設けられ、前記操作パネルによって前記モーターの回転周数をコントロールし、前記モーターの前端には動力軸が動力が伝達できるように連結され、前記動力軸にはリールが固定的に設けられ、前記リールには引き糸が巻きつくように設けられ、前記パッケージの中にはスライドチャンバが設けられ、前記スライドチャンバの中には連結ブロックがスライドできるように設けられ、前記連結ブロックと前記スライドチャンバの右壁との間には復帰バネが連結され、前記引き糸が前記スライドチャンバの中まで伸びており、且つ前記連結ブロックと連結され、前記連結ブロックの左端面には前記作動チャンバの中まで伸びており、且つ前記固定ブロックと回転できるように結合された連結ロッドが固定的に設けられ、前記動力軸が回転する時に前記リールを回転連動させ、前記引き糸によって連結ブロックを引き動かし、これにより前記連結ロッドにより前記固定ブロックを移動連動させ、前記動力チャンバの左壁には電磁石が固定的に設けられ、前記動力チャンバの後壁には右スライド溝が設けられ、前記右スライド溝の中には右スライドブロックがスライドできるように設けられ、前記右スライドブロックの左端面と前記右スライド溝の内壁との間には右バネが連結され、前記右スライドブロックの下端面には永久磁石が固定的に設けられ、前記永久磁石の右端面には右ラチェット歯止めが設けられ、前記動力軸には前記右ラチェット歯止めと結合している第一歯車が固定的に設けられ、これにより前記復帰バネが復帰することで発生した反転を防止することを特徴とする請求項１に記載の食品パッケージ。
【請求項３】
前記回転装置は前記スプライン軸に設けられたトーションバネを含み、前記作動チャンバの左壁には中間軸が回転できるように設けられ、前記中間軸と前記動力軸との間がベルト伝動機構により伝動され、前記中間軸と前記スプライン軸との間が円盤状ラチェット歯車により連結され、前記作動チャンバの後壁には左スライド溝が設けられ、前記左スライド溝の中には左スライドブロックがスライドできるように設けられ、前記左スライドブロックと前記作動チャンバの内壁との間には左バネが連結され、前記左スライドブロックの下端面には定位ロッドが固定的に設けられ、前記定位ロッドの下端面には前記第二歯車と結合されている左ラチェット歯止めが固定的に設けられ、前記定位ロッドと前記食品取り箱とが当接する時、左ラチェット歯止めと前記第二歯車とが結合状態から離脱することを特徴とする請求項１に記載の食品パッケージ。
【請求項４】
前記食品取りチャンバの中には定位板がスライドできるように設けられ、前記定位板と前記食品取りチャンバの内壁との間には押圧バネが連結され、前記食品取りチャンバの内壁には前記電磁石と電気的に結合されたセンサースイッチが固定的に設けられ、これにより前記右ラチェット歯止めを前記第一歯車から離脱させ、前記食品入れチャンバの中には食品押し板がスライドできるように設けられ、前記食品押し板と前記食品入れチャンバの左端面のと間にはバネが連結されることを特徴とする請求項１に記載の食品パッケージ。
【発明の詳細な説明】
【技術分野】
【０００１】
本発明はパッケージ分野を取り上げて、具体的には食品パッケージである。
【背景技術】
【０００２】
ご飯を作る時、手で小麦粉や米を取る時に、正確に量を確定することができないので、取る量が多すぎるまたは少なすぎることがよくあり、また、スーパーで買った米や小麦粉は、一般的にプラスチック包装袋で包装されるため、プラスチック袋が破損した場合に米や小麦粉が漏れてしまい、上記のデメリットに対し、本装置を提出する。
【先行技術文献】
【特許文献】
【０００３】
【特許文献１】中国特許出願公開第１０９３１９２７３号明細書
【発明の概要】
【発明が解決しようとする課題】
【０００４】
本発明の目的は食品パッケージを提供し、それは上記の現在の技術中の問題を解決できる。
【課題を解決するための手段】
【０００５】
本発明の食品パッケージは、パッケージと前記パッケージの下側に設けられたＬ型板とを含み、前記パッケージの中には上方に開口した食品入れチャンバが設けられ、前記食品入れチャンバの開口のところには蓋がねじ山によって取り付けられ、前記蓋を取った後に米や小麦粉などの食品を前記食品入れチャンバの中に入れることができ、前記パッケージの中には前記食品入れチャンバと連通している作動チャンバが設けられ、前記作動チャンバの内壁には定位ブロックが上下に対称的に設けられ、前記定位ブロックの中には抜き穴が設けられ、前記定位ブロックの相対する端面には位置制限ブロックが固定的に設けられ、上側の前記定位ブロックの中には貫通穴が設けられ、前記貫通穴の中には復帰ブロックがスライドできるように設けられ、前記復帰ブロックと前記貫通穴の内壁との間が連結バネにより連結され、前記復帰ブロックには一端が前記抜き穴の中まで伸びており、もう一端が上側の前記位置制限ブロックを貫通している定位押しロッドが固定的に連結され、前記作動チャンバの中には固定ブロックが設けられ、前記固定ブロックには駆動装置が連結され、前記固定ブロックには食品取り箱が固定的に設けられ、前記食品取り箱を二つやいくつ設置することができ、前記食品取り箱の中には片側が開口した食品取りチャンバが設けられ、前記食品取り箱の開口側の端面にはガイド溝が前後に対称的に設けられ、前記ガイド溝の中にはガイドブロックがスライドできるように設けられ、前記ガイドブロックの両側端面と前記ガイド溝の内壁のと間には戻しバネが連結され、前記ガイドブロックの上端には閉鎖板が固定的に設けられ、前記閉鎖板が前記食品取りチャンバを閉鎖し、前記駆動装置が前記固定ブロックを前記定位ブロックの方向に移動駆動する時、前記閉鎖板が前記定位ブロックのサイド端面と当接し、前記食品取りチャンバを上側の前記抜き穴によって前記食品入れチャンバと連通させ、前記食品入れチャンバの中の米や小麦粉などの食品が前記食品取りチャンバの中に入り、前記固定ブロックの中にはスプライン穴が設けられ、前記スプライン穴の中にはスプライン軸がスプラインにより結合され、前記スプライン軸には回転装置が連結され、前記食品取りチャンバの中の食品が指定の量に達した時、前記回転装置が前記スプライン軸を連動させ、前記食品取り箱が前記スプライン軸の連動により回転し、且つ前記食品取りチャンバと下側の前記抜き穴とを連通させ、前記食品取りチャンバの中の食品を出し、量を確定する作用を果たす。
【０００６】
好ましくは、前記駆動装置は前記パッケージの右端面に設けられた操作パネルを含み、前記パッケージの中には動力チャンバが設けられ、前記動力チャンバの中には前記操作パネルと電気的に接続されたモーターが設けられ、前記操作パネルによって前記モーターの回転周数をコントロールし、前記モーターの前端には動力軸が動力が伝達できるように連結され、前記動力軸にはリールが固定的に設けられ、前記リールには引き糸が巻きつくように設けられ、前記パッケージの中にはスライドチャンバが設けられ、前記スライドチャンバの中には連結ブロックがスライドできるように設けられ、前記連結ブロックと前記スライドチャンバの右壁との間には復帰バネが連結され、前記引き糸が前記スライドチャンバの中まで伸びており、且つ前記連結ブロックと連結され、前記連結ブロックの左端面には前記作動チャンバの中まで伸びており、且つ前記固定ブロックと回転できるように結合された連結ロッドが固定的に設けられ、前記動力軸が回転する時に前記リールを回転連動させ、前記引き糸によって連結ブロックを引き動かし、これにより前記連結ロッドにより前記固定ブロックを移動連動させ、前記動力チャンバの左壁には電磁石が固定的に設けられ、前記動力チャンバの後壁には右スライド溝が設けられ、前記右スライド溝の中には右スライドブロックがスライドできるように設けられ、前記右スライドブロックの左端面と前記右スライド溝の内壁との間には右バネが連結され、前記右スライドブロックの下端面には永久磁石が固定的に設けられ、前記永久磁石の右端面には右ラチェット歯止めが設けられ、前記動力軸には前記右ラチェット歯止めと結合している第一歯車が固定的に設けられ、これにより前記復帰バネが復帰することで発生した反転を防止する。
【０００７】
好ましくは、前記回転装置は前記スプライン軸に設けられたトーションバネを含み、前記作動チャンバの左壁には中間軸が回転できるように設けられ、前記中間軸と前記動力軸との間がベルト伝動機構により伝動され、前記中間軸と前記スプライン軸との間が円盤状ラチェット歯車により連結され、前記作動チャンバの後壁には左スライド溝が設けられ、前記左スライド溝の中には左スライドブロックがスライドできるように設けられ、前記左スライドブロックと前記作動チャンバの内壁との間には左バネが連結され、前記左スライドブロックの下端面には定位ロッドが固定的に設けられ、前記定位ロッドの下端面には前記第二歯車と結合されている左ラチェット歯止めが固定的に設けられ、前記定位ロッドと前記食品取り箱とが当接する時、左ラチェット歯止めと前記第二歯車とが結合状態から離脱する。
【０００８】
好ましくは、前記食品取りチャンバの中には定位板がスライドできるように設けられ、前記定位板と前記食品取りチャンバの内壁との間には押圧バネが連結され、前記食品取りチャンバの内壁には前記電磁石と電気的に結合されたセンサースイッチが固定的に設けられ、これにより前記右ラチェット歯止めを前記第一歯車から離脱させ、前記食品入れチャンバの中には食品押し板がスライドできるように設けられ、前記食品押し板と前記食品入れチャンバの左端面のと間にはバネが連結される。
【発明の効果】
【０００９】
以上により、本発明は構造が簡単で、使用が簡単で便利であり、バラ売りの米や小麦粉などの食品を本発明の中に置き、包装袋が破損することによって漏れることを避け、米や小麦粉を取って使う時に、操作板を操作することにより量を確定することができ、その後に本装置は自動的に定量の米や小麦粉を出し、手動で取る時に取る量が多すぎるまたは少なすぎることを避け、これにより浪費と不足の状況を避ける。
【図面の簡単な説明】
【００１０】
以下、図１−７を合わせて本発明について詳しく説明し、また、説明の便利を図るため、下記に記載の上下左右前後方向が図１自身の投影関係の上下左右前後方向と一致することにする。
【００１１】
【図１】図１は本発明の食品パッケージの全体構成略図
【図２】図２は図１のパッケージ１０の構成略図
【図３】図３は図２のＡ−Ａの構成略図
【図４】図４は図２のＢ−Ｂの構成略図
【図５】図５は図２のＣの構成略図
【図６】図６は図２のＤの構成略図
【図７】図７は図２のＥの構成略図
【発明を実施するための形態】
【００１２】
以下、本発明を図面及び実施例を用いてより詳細に説明し、本発明は以下の実施例を含むが、以下の実施例にのみ限定されるものではない。
【００１３】
図１−７に示すように、本発明の食品パッケージは、パッケージ１０と前記パッケージ１０の下側に設けられたＬ型板６３とを含み、前記パッケージ１０の中には上方に開口した食品入れチャンバ１３が設けられ、前記食品入れチャンバ１３の開口のところには蓋１２がねじ山によって取り付けられ、前記蓋１２を取った後に米や小麦粉などの食品を前記食品入れチャンバ１３の中に入れることができ、前記パッケージ１０の中には前記食品入れチャンバ１３と連通している作動チャンバ１１が設けられ、前記作動チャンバ１１の内壁には定位ブロック３２が上下に対称的に設けられ、前記定位ブロック３２の中には抜き穴４３が設けられ、前記定位ブロック３２の相対する端面には位置制限ブロック５２が固定的に設けられ、上側の前記定位ブロック３２の中には貫通穴５３が設けられ、前記貫通穴５３の中には復帰ブロック５０がスライドできるように設けられ、前記復帰ブロック５０と前記貫通穴５３の内壁との間が連結バネ５１により連結され、前記復帰ブロック５０には一端が前記抜き穴４３の中まで伸びており、もう一端が上側の前記位置制限ブロック５２を貫通している定位押しロッド４９が固定的に連結され、前記作動チャンバ１１の中には固定ブロック２６が設けられ、前記固定ブロック２６には駆動装置１００が連結され、前記固定ブロック２６には食品取り箱２９が固定的に設けられ、前記食品取り箱２９を二つやいくつ設置することができ、前記食品取り箱２９の中には片側が開口した食品取りチャンバ４４が設けられ、前記食品取り箱２９の開口側の端面にはガイド溝４６が前後に対称的に設けられ、前記ガイド溝４６の中にはガイドブロック４８がスライドできるように設けられ、前記ガイドブロック４８の両側端面と前記ガイド溝４６の内壁のと間には戻しバネ４７が連結され、前記ガイドブロック４８の上端には閉鎖板３１が固定的に設けられ、前記閉鎖板３１が前記食品取りチャンバ４４を閉鎖し、前記駆動装置１００が前記固定ブロック２６を前記定位ブロック３２の方向に移動駆動する時、前記閉鎖板３１が前記定位ブロック３２のサイド端面と当接し、前記食品取りチャンバ４４を上側の前記抜き穴４３によって前記食品入れチャンバ１３と連通させ、前記食品入れチャンバ１３の中の米や小麦粉などの食品が前記食品取りチャンバ４４の中に入り、前記固定ブロック２６の中にはスプライン穴２５が設けられ、前記スプライン穴２５の中にはスプライン軸２４がスプラインにより結合され、前記スプライン軸２４には回転装置２００が連結され、前記食品取りチャンバ４４の中の食品が指定の量に達した時、前記回転装置２００が前記スプライン軸２４を連動させ、前記食品取り箱２９が前記スプライン軸２４の連動により回転し、且つ前記食品取りチャンバ４４と下側の前記抜き穴４３とを連通させ、前記食品取りチャンバ４４の中の食品を出し、量を確定する作用を果たす。
【００１４】
有益的には、前記駆動装置１００は前記パッケージ１０の右端面に設けられた操作パネル３７を含み、前記パッケージ１０の中には動力チャンバ３８が設けられ、前記動力チャンバ３８の中には前記操作パネル３７と電気的に接続されたモーター４５が設けられ、前記操作パネル３７によって前記モーター４５の回転周数をコントロールし、前記モーター４５の前端には動力軸４２が動力が伝達できるように連結され、前記動力軸４２にはリール４１が固定的に設けられ、前記リール４１には引き糸３９が巻きつくように設けられ、前記パッケージ１０の中にはスライドチャンバ３４が設けられ、前記スライドチャンバ３４の中には連結ブロック３３がスライドできるように設けられ、前記連結ブロック３３と前記スライドチャンバ３４の右壁との間には復帰バネ３６が連結され、前記引き糸３９が前記スライドチャンバ３４の中まで伸びており、且つ前記連結ブロック３３と連結され、前記連結ブロック３３の左端面には前記作動チャンバ１１の中まで伸びており、且つ前記固定ブロック２６と回転できるように結合された連結ロッド３５が固定的に設けられ、前記動力軸４２が回転する時に前記リール４１を回転連動させ、前記引き糸３９によって連結ブロック３３を引き動かし、これにより前記連結ロッド３５により前記固定ブロック２６を移動連動させ、前記動力チャンバ３８の左壁には電磁石５４が固定的に設けられ、前記動力チャンバ３８の後壁には右スライド溝５５が設けられ、前記右スライド溝５５の中には右スライドブロック５６がスライドできるように設けられ、前記右スライドブロック５６の左端面と前記右スライド溝５５の内壁との間には右バネ６４が連結され、前記右スライドブロック５６の下端面には永久磁石５８が固定的に設けられ、前記永久磁石５８の右端面には右ラチェット歯止め５７が設けられ、前記動力軸４２には前記右ラチェット歯止め５７と結合している第一歯車４０が固定的に設けられ、これにより前記復帰バネ３６が復帰することで発生した反転を防止する。
【００１５】
有益的には、前記回転装置２００は前記スプライン軸２４に設けられたトーションバネ６１を含み、前記作動チャンバ１１の左壁には中間軸２１が回転できるように設けられ、前記中間軸２１と前記動力軸４２との間がベルト伝動機構２０により伝動され、前記中間軸２１と前記スプライン軸２４との間が円盤状ラチェット歯車６２により連結され、前記作動チャンバ１１の後壁には左スライド溝２３が設けられ、前記左スライド溝２３の中には左スライドブロック１７がスライドできるように設けられ、前記左スライドブロック１７と前記作動チャンバ１１の内壁との間には左バネ１８が連結され、前記左スライドブロック１７の下端面には定位ロッド１９が固定的に設けられ、前記定位ロッド１９の下端面には前記第二歯車６０と結合されている左ラチェット歯止め５９が固定的に設けられ、前記定位ロッド１９と前記食品取り箱２９とが当接する時、左ラチェット歯止め５９と前記第二歯車６０とが結合状態から離脱する。
【００１６】
有益的には、前記食品取りチャンバ４４の中には定位板３０がスライドできるように設けられ、前記定位板３０と前記食品取りチャンバ４４の内壁との間には押圧バネ２８が連結され、前記食品取りチャンバ４４の内壁には前記電磁石５４と電気的に結合されたセンサースイッチ２７が固定的に設けられ、これにより前記右ラチェット歯止め５７を前記第一歯車４０から離脱させ、前記食品入れチャンバ１３の中には食品押し板１４がスライドできるように設けられ、前記食品押し板１４と前記食品入れチャンバ１３の左端面のと間にはバネ１５が連結される。
【００１７】
前記の食品パッケージの実現方法は、以下のステップを含む：
【００１８】
使用する時、バラ売りの小麦粉や米を食品入れチャンバ１３の中に入れ、米や小麦粉を使用する時に、容器をＬ型板６３に置き、操作パネル３７を操作することによりモーター４５の回転周数をコントロールし、モーター４５が動力軸４２と、リール４１と、引き糸３９とによって連結ブロック３３を右に移動連動させ、連結ブロック３３が連結ロッド３５と、固定ブロック２６とによって食品取り箱２９を右に移動連動させ、且つ食品取り箱２９を定位ロッド１９から離れさせ、左ラチェット歯止め５９と第二歯車６０とが結合され、閉鎖板３１と上側の定位ブロック３２の左端面とが当接し、食品取りチャンバ４４と上側の抜き穴４３と食品入れチャンバ１３とが連通して食品を入れ始め、動力軸４２がベルト伝動機構２０と、中間軸２１と円盤状ラチェット歯車６２と、スプライン軸２４とによってトーションバネ６１が連動してエネルギーを蓄積し、定位板３０がセンサースイッチ２７と当接するまで降下した時に、モーター４５が止まり、電磁石５４が起動して永久磁石５８を吸引して右ラチェット歯止め５７と第一歯車４０とを離脱させ、連結ブロック３３が復帰バネ３６の作用により復帰し、食品取り箱２９が復帰して定位ロッド１９を押圧し、左ラチェット歯止め５９と第二歯車６０とを離脱させ、スプライン軸２４がトーションバネ６１の作用により回転し、且つ上側の食品取りチャンバ４４を連動させて下に開口させ、モーター４５が再び起動し、閉鎖板３１と下側の定位ブロック３２とが当接して食品取りチャンバ４４と下側の抜き穴４３とを連通させて食品を出す。
【００１９】
上記により、本発明は構造が簡単で、使用が簡単で便利であり、バラ売りの米や小麦粉などの食品を本発明の中に置き、包装袋が破損することによって漏れることを避け、米や小麦粉を取って使う時に、操作板を操作することにより量を確定することができ、その後に本装置は自動的に定量の米や小麦粉を出し、手動で取る時に取る量が多すぎるまたは少なすぎることを避ける。
【００２０】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177002.tif 000003
【図２】
2020177002.tif 000004
【図３】
2020177002.tif 000005
【図４】
2020177002.tif 000006
【図５】
2020177002.tif 000007
【図６】
2020177002.tif 000008
【図７】
2020177002.tif 000009
【手続補正書】
【提出日】令和1年5月28日(2019.5.28)
【手続補正１】
【補正対象書類名】特許請求の範囲
【補正対象項目名】請求項４
【補正方法】変更
【補正の内容】
【請求項４】
前記食品取りチャンバの中には定位板がスライドできるように設けられ、前記定位板と前記食品取りチャンバの内壁との間には押圧バネが連結され、前記食品取りチャンバの内壁には前記電磁石と電気的に結合されたセンサースイッチが固定的に設けられ、これにより前記右ラチェット歯止めを前記第一歯車から離脱させ、前記食品入れチャンバの中には食品押し板がスライドできるように設けられ、前記食品押し板と前記食品入れチャンバの左端面のと間にはバネが連結されることを特徴とする請求項２に記載の食品パッケージ。